(57)【要約】  本発明は、カプセル形態の粉末状薬剤を吸入するための吸入器に関する。カプセルは、使用に先立って、吸入器の内部に配置されたカプセルホルダ（３）内に挿入される。患者は、カプセルをカプセルホルダ内に挿入した後に作動要素（８）を押すのがよく、この作動要素は、休止位置から変位可能であり、カプセルホルダ内に押し込められた少なくとも１本の針（９）と協働する。本発明の目的は、上述した形式の吸入器を操作上の快適さが得られるよう一段と改良することにある。この目的は、作動要素が、多機能作動要素（８ａ）として具体化され、それにより閉鎖要素（６）を第１の機能位置に挿入したときに、下方部分（１）のカバー（５）を回動させることができ、第２の機能位置では、プレート（２）に固定されているマウスピース（４）を回動させて下方部分から遠ざけることができるような仕方でマウスピースをプレートから取り外すことができるようになった吸入器を実施形態として提供することによって達成される。
2007509670.tif 000002
【特許請求の範囲】
【請求項１】
カプセルから粉末状薬剤を吸入するための吸入器であって、
下方部分（１）と、
該記下方部分（１）にラッチ止め可能で、前記下方部分（１）を閉鎖できるプレート（２）及び前記下方部分（１）内に収納可能であって、前記カプセルを受け入れるカプセルホルダ（３）と、
前記プレート（２）にラッチ止め可能なマウスピース（４）と、
前記マウスピース（４）を閉鎖位置で覆い、クロージャ要素（６）によって前記マウスピースをラッチ止めするカバー（５）と、を備え、前記下方部分（１）と、前記プレート（２）と、前記マウスピース（４）と、前記カバー（５）とは、単一の継手（７）によって互いに接合され、
休止位置から動かすことができ、それにより、前記カプセルホルダ（３）内に押し込み可能な少なくとも１本のピン（９）と協働するようになった作動部材（８）をさらに備えている吸入器において、
前記作動部材（８）は、多機能作動部材（８ａ）として構成され、第１の機能位置では、該多機能作動部材により、前記カバー（５）を回動させるために前記クロージャ要素（６）を前記下方部分（１）から離脱させることができ、第２の機能位置では、前記多機能作動部材により、前記プレート（２）に係合している前記マウスピース（４）を前記プレート（２）から解除し前記マウスピース（４）を前記下方部分（１）から離れるように回動できるようにする、
ことを特徴とする吸入器。
【請求項２】
前記多機能作動部材（８ａ）は、前記プレート（２）及び／又は前記カプセルホルダ（３）に可動的に取り付けられている、
請求項１に記載の吸入器。
【請求項３】
前記多機能作動部材（８ａ）は、ばね押し式である、
請求項１又は２記載の吸入器。
【請求項４】
前記多機能作動部材（８ａ）は、本体（１０）及び該本体に作用する２つの平行な案内アーム（１１ａ，１１ｂ）を有する、
請求項１ないし３のいずれか１項に記載の吸入器。
【請求項５】
前記本体（１０）は、上方の溝付き表面（１２）と側方の溝付き表面（１３）を有する、
請求項４に記載の吸入器。
【請求項６】
上方溝付き表面（１２）は、前記休止位置において、前記カバー（１４）の近くの領域に、前記クロージャ要素（６）を収容する凹部（１５）を有する、
請求項５に記載の吸入器。
【請求項７】
少なくとも前記側方溝付き表面（１３）に向いた前記凹部（１５）の前記側壁（１６）は、該側壁が前記クロージャ要素（６）のための摺動面（１７）を形成するよう傾斜している、
請求項６に記載の吸入器。
【請求項８】
前記案内アーム（１１ａ，１１ｂ）は、前記カプセルホルダ（３）の外側に設けられた案内スリーブ（１８ａ，１８ｂ）によって案内される、
請求項４ないし７のいずれか１項に記載の吸入器。
【請求項９】
前記案内アーム（１１ａ，１１ｂ）は、本体（１０）から遠くに位置する端に、端停止部（２０）を有し、該端停止部は、前記休止位置において、前記案内スリーブ（１８ａ，１８ｂ）に当接する、
請求項８に記載の吸入器。
【請求項１０】
前記多機能作動部材（８ａ）は、本体（１０）に作用するスラスト突起（２１）と、前記マウスピース（４）に取り付けられ前記プレート（２）の裏に係合する保持用ラグ（２２）とを有し、
前記スラスト突起（２１）は、前記第２の機能位置に達すると、整列させられ、前縁（２３）が前記保持用ラグ（２２）に接触する（図１ａ）、
請求項１に記載の吸入器。
【請求項１１】
前記多機能作動部材（８ａ）は、本体（１０）に回動自在に取り付けられ前記吸入器内へ突き出たインパクトカム（３０）が設けられた回動部材（２９）と、前記下方部分に取り付けられ前記インパクトカム（３０）と協働する保持アーム（３１）とを有し、
該保持アームは、前記閉鎖位置では前記プレート（２）を貫通して前記マウスピース（４）の裏に係合し、
前記インパクトカム（３０）は、前記休止位置（３）では前記保持アーム（３１）を越えて側方に突き出る、
請求項１に記載の吸入器。
【請求項１２】
前記インパクトカム（３０）は、前記回動部材（２９）に偏心的に取り付けられている、
請求項１１に記載の吸入器。
【請求項１３】
前記保持アーム（３１）は、その上端（３２）に設けられた保持フック（３３）を有する、
請求項１１又は１２に記載の吸入器。
【請求項１４】
カプセルから粉末状薬剤を吸入するための吸入器であって、
下方部分（１）と、
前記下方部分（１）にラッチ止め可能で、前記下方部分（１）を閉鎖できるプレート（２）及び前記下方部分（１）内に収納可能で、前記カプセルを受け入れるカプセルホルダ（３）と、
前記プレート（２）にラッチ止め可能なマウスピース（４）と、
前記マウスピース（４）を閉鎖位置で覆い、クロージャ要素（６）によって前記マウスピースをラッチ止めするカバー（５）を備え、前記下方部分（１）と、前記プレート（２）と、前記マウスピース（４）と前記カバー（５）とは、単一の継手（７）によって互いに接合され、
休止位置から動かすことができ、それにより、前記カプセルホルダ（３）内に押し込み可能な少なくとも１本のピン（９）と協働するようになった作動部材（８）を更に有する吸入器において、
前記下方部分（１）には、機能要素（２５）が形成された少なくとも１つの操作窓（２４ｂ）が設けられ、最低でも１つの前記操作窓（２４ｂ）は、案内され且つばね押しされる仕方で前記下方部分（１）内に押し込められ、前記機能要素（２５）を介して、前記プレート（２）にラッチ止めされた前記マウスピース（４）を前記プレート（２）から解除できる（図２）、
ことを特徴とする吸入器。
【請求項１５】
前記操作窓（２４ｂ）は、互いに向かい合った状態で前記下方部分（１）に設けられている、
請求項１４に記載の吸入器。
【請求項１６】
前記機能要素（２５）は、フック（２６）と、該フックと相補するよう形作られた保持要素（２７）とを有する、
請求項１４又は１５に記載の吸入器。
【請求項１７】
前記フック（２６）は、最低でも１つの操作窓（２４ｂ）と一体に形成されている、
請求項１４ないし１６のいずれか１項に記載の吸入器。
【請求項１８】
前記フック（２６）は、前記マウスピース（４）の方向にクロスピースのように延びている、
請求項１６又は１７に記載の吸入器。
【請求項１９】
前記保持要素（２７）は、アイレット又は保持カラー（２８）として構成されている、
請求項１６ないし１８のいずれか１項に記載の吸入器。
【請求項２０】
前記下方部分（１）にラッチ止めされた前記プレート（２）は、該プレート（２）を回動させて前記下方部分（１）から遠ざけることができるよう前記下方部分（１）から解除可能である、
請求項１ないし１９のいずれか１項に記載の吸入器。
【請求項２１】
前記作動部材（８）は、該作動部材を前記下方部分（１）から解除して前記下方部分（１）にラッチ止めされている前記プレート（２）と一緒に回動して離れることができるよう前記プレート（２）に取り付けられている、
請求項１ないし２０のいずれか１項に記載の吸入器。
【発明の詳細な説明】
【技術分野】
【０００１】
本発明は、カプセルから粉末状薬剤を吸入するための吸入器に関し、カプセルは、使用前に、吸入器内に配置されたカプセルホルダ内に挿入される。患者が、カプセルをカプセルホルダ内に配置した後に作動部材を押すと、作動部材が、休止位置から動かされ、それにより、カプセルホルダ内に押し込まれる少なくとも１本のピンと相互作用する。最低でも１本のピンを用いることにより、カプセルを穴あけし、薬剤を放出させる。
【背景技術】
【０００２】
この種の吸入器は、例えば、欧州特許第７０３，８００号明細書又は欧州特許出願公開第９１１，０４７号明細書に記載されている。これら明細書から知られている吸入器は、皿形の下方部分と、この下方部分に嵌まるこれと同じく皿形のカバーとを有し、これら２つの部品は、使用のために縁部に設けられたヒンジによってひっくり返されて互いに離れるようになっている。これ又ひっくり返し可能なマウスピース及びこのマウスピースの下に設けられたプレートが、ヒンジ内において下方部分とカバーとの間に係合しており、カプセルホルダが、プレートの下に設けられている。個々の部品を開いた後、患者は、薬剤で満たされたカプセルをカプセルホルダ内に配置し、カプセルホルダ及びマウスピースを下方部分内に戻した状態でプレートを回動させ、下方部分から側方に突き出たばね押し作動部材によってカプセルを穴あけすることができる。次に、マウスピースに対して吸い込みを行うと、治療を受けている患者の気道に薬剤が投与される。
【発明の開示】
【発明が解決しようとする課題】
【０００３】
本発明は、公知の吸入器をこれらの取り扱いの面で一段と改良することを目的としている。
【課題を解決するための手段】
【０００４】
この目的は、本発明によれば、作動部材が、多機能作動部材として構成され、多機能作動部材により、第１の機能位置では、カバーを回動させるためにクロージャ要素を下方部分から離脱させることができ、多機能作動部材により、第２の機能位置では、プレートに係合しているマウスピースをプレートから解除してマウスピースを回動させ、マウスピースを下方部分から遠ざけることができるようになっている第１の実施形態の吸入器によって達成される。
【０００５】
本発明の本質的な利点は、カバー及びマウスピースの機械的係合状態を解除する力が、カバー又はマウスピースを介して直接的ではなく、多機能作動部材を介してもたらされることにある。これにより、カバー及びマウスピースを安全且つ迅速に開き、吸入器が使用できるようになる。このことは、特に喘息の発作の開始時に極めて重要である。次に、カバーの実際の開放運動は、従前通り、患者がカバーを操作することにより実施できる。
【０００６】
構成部品としてのカバー及びマウスピースを解除するのに必要な力は著しく小さいので、掴み具合を向上させる手段を設ける必要がない。掴み具合向上手段という用語は例えば、凹み又は溝を意味し、これらは、汚れを引き付けるという欠点を有する場合がある。これら掴み具合向上手段を使わないことにより、見た目を良くすることに加えて、衛生状態も向上する。これは、マウスピースの周りの領域では、特に重要である。というのは、この部品は、吸入器を使用するとき、口の中に入れられるからである。
【０００７】
好ましい実施形態では、開放運動を助けるため、ばね要素をカバーと下方部分、又はマウスピースと下方部分との間に設けるのがよく、これらばね要素は、カバー及び（又は）マウスピースをスナップ動作で開くことができるよう適当な寸法形状を有する。
【０００８】
好ましくは、多機能作動部材は、プレート又はカプセルホルダに変位自在に取り付けられる。この結果、プレート及び／又はカプセルホルダは、多機能作動部材のための当接部を形成し、この多機能作動部材は、これが休止位置から所望の機能位置に動くときにプレートに沿って摺動し、それにより、例えば案内レールによって案内される。
【０００９】
好ましい実施形態では、多機能作動部材は、ばね押し式である。休止位置において既に存在している復元力により、吸入器の使用後、多機能作動部材は、休止位置に戻され、かくして、新しいカプセルを装填する次の操作及び次の吸入過程をいつでも実施できるようになる。
【００１０】
有利には、多機能作動部材は、本体及びこの本体に係合する２つの平行な案内アームを有する。案内アームは、下方部分内に突き出ており、これら案内アームは、対応の内蔵部品、例えば、カプセルホルダの外側に設けられた案内スリーブによって、休止位置からそれぞれの機能位置に動く間及びこれら位置から休止位置に戻る間、多機能作動部材を案内するのに役立つ。
【００１１】
案内アームは、本体から遠くに位置する端に端停止部を有するのがよく、これら端停止部は、休止位置では、案内スリーブに当接する。このように、多機能作動部材は、張力をかけられる。
【００１２】
好ましい実施形態では、本体は、上方の溝付き表面及び側方の溝付き表面を有する。しかしながら、先行技術とは異なり、これら表面は、カバーに当接せず、特にマウスピースに当接しないで吸入器の外部の多機能作動部材の本体にのみ当接し、したがって、患者の口の近くに来ないようになっている。さらに、溝付き表面は、吸入器の安全且つ迅速な使用を依然として保証したうえで、面積が小さいのがよい。
【００１３】
有利には、上方溝付き表面は、休止位置において、カバーの近くのその領域に、カバーのクロージャ要素を受け入れる凹部を有する。凹部内では、少なくとも側方溝付き表面の方へ差し向けられた側壁は、本体を押し込むと、この側壁がクロージャ要素のための摺動面を形成するよう傾けられているがよく、このように、クロージャ要素は、カバーと共に、持ち上げられてラッチ止め位置から離脱する。
【００１４】
マウスピースを解除するための上述の第１の特に好ましい実施形態では、多機能作動部材は、本体に作用するスラスト突起と、マウスピースに取り付けられていて、プレートの裏に係合する保持用ラグとを有し、スラスト突起は、第２の機能位置に達すると、その前縁が保持用ラグに接触するよう整列する。本体を更に前方に押すと、スラスト突起は、好ましくは可撓性の保持用ラグが固定プレートに設けられた開口部から滑り出てマウスピースを解除するまでこの保持用ラグを更に押し戻す。
【００１５】
マウスピースを解除するための第２の好ましい実施形態では、多機能作動部材は、本体に回動自在に取り付けられていて、吸入器内へ突き出たインパクトカムが設けられた回動部材と、下方部分に取り付けられていて、インパクトカムと協働する保持アームとを有し、保持アームは、閉鎖位置ではプレートを貫通してマウスピースの裏に係合し、インパクトカムは、休止位置では保持アームを越えて側方に突き出る。好ましくは、インパクトカムは、本体に設けられた開口部を通過する。マウスピースを開放するため、患者は、回動部材を回し、それ故インパクトカムも回され、このインパクトカムは、吸入器を内側で円弧の形をした経路にそって移動し、マウスピースに連結されている保持アームに当たり、より大きな圧力が加えられると、このアームを曲げる。その結果、好ましくは保持フックを備えた保持アームは、摺動してマウスピースから離脱し、それによりマウスピースを解除する。
【００１６】
有利な実施形態では、インパクトカムは、回動部材に偏心的に取り付けられている。この構成により、力を保持アームの取付け方に応じて、保持アームにできるだけ直接的に伝達することができる。
【００１７】
マウスピースを解除するための上述の実施形態の変形例として、機能要素が形成された少なくとも１つの操作窓を下方部分に設けるのがよく、最低でも１つの操作窓は、案内され且つばね押しされる仕方で下方部分内に押し込められ、機能要素を介して、プレートにラッチ止めされたマウスピースをプレートから解除できる。この実施形態では、作動部材の周りの組立体は、カバーの解除を受け持ち、他方、操作窓として構成された下方部分の押しボタンは、他の部品と一緒になって、患者によるマウスピースの解除を開始させる。操作窓により、患者は、薬剤の入ったカプセルがカプセルホルダ内に配置されているかどうかを確認することができる。
【００１８】
好ましくは、操作窓は、互いに向かい合った状態で下方部分に設けられている。これら操作窓が留め金のように互いに接合された場合、材料の適当な選択により材料に固有の復元力が得られ、したがって他のばね要素が不要になる。
【００１９】
機能要素は、フックと、フックと相補するよう形作られた保持要素とを有し、フックは、最低でも１つの窓と一体に形成され、任意的に、マウスピースの方向にクロスピースとして延びるのが好ましい。この場合、マウスピース内には、保持要素、例えば、アイレット又は保持カラーが見受けられ、この保持要素には、フックが嵌まり込むことができ、それによりマウスピースをラッチ止めすることができる。最低でも１つの操作窓を押し込むと、フックも又、下方部分の内部に向かって撓み、その結果、フックが摺動して保持要素から離脱し、マウスピースをひっくり返すことができるようになっている。
【００２０】
下方部分にラッチ止めされたプレートは、プレートを回動させて下方部分から遠ざけることができるよう下方部分から解除可能であるのが好ましい。上述の保持フラップを用いてプレートと下方部分との間の係合を達成できる。
【００２１】
また、カプセルホルダを突き通すことができる最低でも１本のピンを有する作動部材が作動部材を下方部分から解除して下方部分にラッチ止めされているプレートと一緒に回動して離れることができるようプレートに取り付けられるよう吸入器を全ての実施形態に従って構成することも可能である。
【発明を実施するための最良の形態】
【００２２】
本発明の理解に役立つようにするために、次に、３つの図を参照して本発明を詳細に説明する。
【００２３】
図１は、吸入器の分解組立て図である。必要不可欠な組立体は、プレート２を収容しプレートによって覆われた下方部分１と、保持用ラグ２２により下方部分１にラッチ止めできるマウスピース４と、下方部分１と相補するよう形作られたカバー５である。
【００２４】
吸入器の閉鎖位置では、クロージャ要素６が、プレート２に係合し、摩擦係合によりこれに保持される。また、ビード状構造部材を設けることによりインターロック係合状態を得ることも可能である。クロージャ要素６がプレート２に係合できるようにするために、多機能作動部材８ａの本体１０は、図１ａの拡大図に最も明確に示す凹部１５を有している。この凹部１５は、傾斜した側壁１６を備え、この凹部は、カバーの最も近くに位置した上方溝付き表面１２の領域１４に設けられている。特に信頼性の高い作動を可能にするために、多機能作動部材８ａは、側方溝付き表面１３を更に備えている。
【００２５】
カバー５を開けるためには、まず最初に、多機能作動部材８ａを第１の機能位置に前方に押し込む。すると、クロージャ要素６は、傾斜側壁１６と接触し、この傾斜側壁は、本体１０が引き続き前進するときに摺動面１７として働き、カバー５が確実に解放されるようにする。
【００２６】
下方部分１は、カップの形をしており、プレート２の下面に設けられたカプセルホルダ３の全体を収容する。しかしながら、薬剤で満たされたカプセル（図示せず）を挿入するためには、マウスピース４も、ひっくり返して邪魔にならないよう退けなければならない。第１の実施形態では、これは、多機能作動部材８ａを第２の機能位置に更に押すことにより行われる。本体１０に取り付けられ、本体１０の運動方向に整列したスラスト突起２１が、プレート２の下に位置する前縁２３（図１ａ）によって、マウスピース４に固着された状態でプレート２を貫通して突き出た保持用ラグ又は耳２２に接触する。プレート２は、保持用ラグ２２が突き出るようこれを挿通させる領域に保持用ラグ開口部３７を有する。
【００２７】
スラスト突起２１の前進運動の結果として、保持用ラグ２２は、曲がって保持用ラグ開口部３７を通って逃げ、それによりマウスピース４を回動させてこれをわきへそらす。この回動運動は、弾性ばね３４によって促進される。カバー５及びマウスピース４のこの開放位置では、カプセルをカプセルホルダ３内に配置することができる。活性物質を放出させるため、２本のスイッチ方向にずれた互いに平行なピン９が、本体に取り付けられており、本体１０をカプセル（図示せず）に向かって押し込んでこれを穴あけするときに一緒に動く。この穴あけ過程は、点検窓２４ａを介して観察できる。次に、マウスピース４を再び回して戻す。
【００２８】
カプセルホルダ３には、管状ピン通路９ａが設けられており、これら管状ピン通路は、ピン９の運動方向に一致して軸方向に整列している。一方において、これら通路は、ピンを、カプセル（図示せず）の方に正確に向けるのを確実にし、他方において、これら通路は、多機能作動部材８ａの追加の案内手段となる。しかしながら、必要不可欠な案内は、本体１０に側方に設けられた２つの案内アーム１１ａ，１１ｂによって行われる。案内アーム１１ａ，１１ｂも、多機能作動部材８ａをばね付勢力下で保持する役目を果たす。この目的のため、案内アーム１１ａ，１１ｂは、本体１９から見て遠くに位置するこれらの端に、端停止部２０を備え、これら端停止部は、多機能作動部材８ａの休止位置において、案内スリーブ１８ａ，１８ｂに当接する。案内スリーブ１８ａ，１８ｂは、カプセルホルダ３の外部に設けられている。ピン９相互間にはコイルばね３８が設けられており、このコイルばねは、その軸方向にピン９に平行に延び、コイルばね３８は、案内アーム１１ａ，１１ｂの長さに見合っており、多機能作動部材８ａが休止位置でも張力下にあるようになっている。
【００２９】
下方部分１と、プレート２と、マウスピース４と、カバー５とによって構成された個々の組立体は、ヒンジ凹部７ａ，７ｂ，７ｃ，７ｄ及びヒンジボルト７ｅによって互いに連結されている。
【００３０】
図２は、図１と同じような図であり、図１に示す実施形態と同様に、作動部材８の本体１０が作動して第１の機能位置に達すると、カバー５が開く。
【００３１】
カバー５をいったん開放すると、マウスピース４を同様にひっくり返して邪魔にならないように退かして薬剤（図示せず）で満たされたカプセルをカプセルホルダ３内に配置できるようにすることが必要である。この目的のため、患者は、下方部分１の両側に設けられた操作窓２４を押す。操作窓２４ｂを押すと、窓と一体の直立支柱として図２に示すように形成された機能要素２５は、内方に曲がって下方部分１の空所内に入る。機能要素の端には、下方部分１を越えて外方に突出するフック２６が設けられ、プレート２を閉鎖すると、これらフックは、マウスピース４がプレート２上に配置されているとき、マウスピース４の内部に設けられている保持要素２７に嵌まり込むことができる。ひっくり返して邪魔にならないよう退かす必要のあるマウスピース４に関し、圧縮力を操作窓２４ｂに加えると、フック２６は、摺動して保持要素２７から外れ、この保持要素は、例えば図示の場合では保持カラー２８から成る。
【００３２】
カプセル（図示せず）をカプセルホルダ３内に配置したとき、マウスピース４を、これがフックツール３６を通って突き出たフック２６とラッチ止め関係をなすまで回して戻す。次に、本体１０を押すことによりカプセル（図示せず）を穴あけするのがよい。このために、本体１０に固定された２本の平行なピン９は、カプセルホルダ３に向かって突き出る。使用後、カバー５を再び閉鎖する。一方、クロージャ要素６は、プレート２とラッチ止め関係をなす。
【００３３】
図３は、マウスピース４を別な仕方でひっくり返して邪魔にならないように退ける別の実施形態を示している。この目的のため、多機能作動部材８ａは、２つの部品で作られている。カバー５を開くために可動的に取り付けられている本体１０に加えて、その外面に本体１０に対して回転自在に回動部材２９が設けられている。回動部材２９は、ペグで本体１０の中央に固定されている。取付けボア３９の上方にインパクトカム３０が偏心的に設けられており、このインパクトカムは、吸入器を組み立てたときに下方部分１の内部へ突出し、このインパクトカムは、これを図３の矢印の方向に回転させると、垂直方向上方に向いた保持アーム３１と接触する。すると、このようにして保持アーム３１の上端３２が撓み、この上端に設けられている保持フック３３が、摺動し、マウスピース４内に設けられている保持要素２７から外れ、この保持要素２７も又、保持カラー２８の形態をしている。保持フック３３が妨げられない状態で摺動して保持アーム２８から離脱することができるようにするために、プレート２は、十分に大きな寸法形状の保持アーム通路３５を有する。
【００３４】
マウスピース４を閉鎖するためには、このマウスピースを回動させて元の位置に戻す。保持アーム３３がカバー５の方向に尖った形状をしているので、この保持フックは、保持アーム通路３５を通ってマウスピース４の内側上に摺動し、保持フック３３に存在する復元力の結果として、ここで保持カラー２８の裏に係合する。
【図面の簡単な説明】
【００３５】
【図１】本体及びこれに取り付けられているスラスト突起を備えた一実施形態としての多機能作動部材の分解組立て図である。
【図１ａ】図１のプレート、カプセルホルダ及び多機能作動部材の拡大詳細図である。
【図２】下方部分に設けられていて、押し込み可能な作動窓を備えた一実施形態の分解組立て図である。
【図３】本体及び回動部材を備えた一実施形態の多機能作動部材の分解組立て図である。
【符号の説明】
【００３６】
１  下方部分
２  プレート
３  カプセルホルダ
４  マウスピース
５  カバー
６  クロージャ要素
７ａ，７ｂ，７ｃ，７ｄ  ヒンジ凹部
７ｅ  ヒンジボルト
８  作動部材
８ａ  多機能作動部材
９  ピン
９ａ  ピン通路
１０  本体
１１ａ，１１ｂ  案内アーム
１２  上方溝付き表面
１３  側方溝付き表面
１４  カバーに最も近くに位置する領域
１５  凹部
１６  凹部の側壁
１７  摺動面
１８ａ，１８ｂ  案内スリーブ
１９  本体から見て遠くに位置する案内アームの端
２０  端停止部
２１  スラスト突起
２２  保持用ラグ
２３  スラスト突起の前縁
２４ａ  点検窓
２４ｂ  操作窓
２５  機能要素
２６  フック
２７  保持要素
２８  保持カラー
２９  回動部材
３０  インパクトカム
３１  保持アーム
３２  保持アームの上端
３３  保持フック
３４  弾性ばね（ハウジング）
３５  保持アーム通路
３６  フック通路
３７  保持用ラグ開口部
３８  コイルばね
３９  取付けボア
【図１】
2007509670.tif 000003
【図１ａ】
2007509670.tif 000004
【図２】
2007509670.tif 000005
【図３】
2007509670.tif 000006
【国際調査報告】
2007509670.tif 000007
2007509670.tif 000008
2007509670.tif 000009
2007509670.tif 000010